【事件の表示】
　上記当事者間の登録第２１６７４９０号商標の登録取消審判事件について、次のとおり審決する。
【結　論】
　本件審判の請求は、成り立たない。
　審判費用は、請求人の負担とする。
【理　由】
１　本件商標   
　本件登録第２１６７４９０号商標（以下「本件商標」という。）は、別掲のとおりの構成よりなり、昭和６２年９月２日に登録出願、第１７類「被服（運動用特殊被服を除く）布製身回品（他の類に属するものを除く）寝具類（寝台を除く）」を指定商品として、平成１年９月２９日に設定登録され、現に有効に存続しているものである。
　
２　請求人の主張の要点
　請求人は、「本件商標の登録を取り消す。審判費用は被請求人の負担とする。」との審決を求めると申し立て、その理由及び答弁に対する弁駁を次のように述べ、証拠方法として、甲第１号証ないし甲第４号証（枝番を含む。）を提出した。
（１）請求理由
　本件商標は、継続して３年以上日本国内において、商標権者によって使用されていないから、その登録は、商標法第５０条第１項により取り消されるべきである。
（２）答弁に対する弁駁
　（ア）証拠について
　乙第１号証（写真）には、撮影日、撮影場所が明記されていないので証明力が弱い。また、被請求人は、乙第１号証に「ボンフリーマン株式会社」が表示されていると主張するが、この表示は確認することができず、これが被請求人の商品であると特定することはできない。
　被請求人は、乙第４号証により、商標の使用者及び使用時期を証明するとしているが、乙第４号証に記載された、「但し　ズボン、ジャケット代金として」の記載は、いかなる商標が使用された商品（ズボン、ジャケット）であるのか明らかでない。
　（イ）使用に係る商標について
　乙第１号証によれば、本件商標の指定商品に含まれる商品「ズボン」のウエスト部内側に、「ＧＡＭ」の文字が表されたタグが縫いつけられていることが確認でき、また、乙第２号証及び乙第３号証の各伝票にあっては、「品名」欄に「ズボン（ＧＡＭ）」、「ジャケット（ＧＡＭ）」が記載されていることが確認できるから、乙第１号証ないし乙第３号証により、一応「ＧＡＭ」の商標（以下「使用商標」という。）が使用されていることは確認できる。
　しかしながら、本件商標は、片仮名文字「ジャム」と欧文字「ＧＡＭ」とを２段書きにした態様であって、欧文字「ＧＡＭ」のみの態様ではないから、使用商標は、本件商標と社会通念上同一の商標と認められるものではない。
　すなわち、本件商標の主たる称呼は、片仮名文字で特定された「ジャム」である。一方、使用商標は、「ＧＡＭ」のみの構成よりなるものであるから、これより生ずる自然の称呼は、「ガム」又は「ギャム」というべきであり、欧文字３文字を羅列したものと理解された場合には、「ジーエイエム」と発音されることとなり、使用商標からは、通常「ジャム」の称呼が生じることはないのである。
　また、本件商標は、片仮名文字より「果物に砂糖を加えて煮詰めた保存食品（ジャム）」の観念を生じる場合があるのに対し、使用商標からは、食品「ジャム」の観念が生ずることもない。
　したがって、使用商標は、本件商標とは称呼及び観念を共通にするものではない。
　（ウ）以上のとおりであるから、本件商標は、本件審判の請求の登録日より過去３年以内に使用されておらず、その登録は、取り消されるべきである。
　
３　被請求人の答弁の要点
　被請求人は、結論同旨の審決を求めると答弁し、その理由を次のように述べ、証拠方法として、乙第１号証ないし乙第４号証を提出した。
（１）使用の事実
　以下に述べるとおり、本件商標の通常使用権者である「ボンフリーマン株式会社」は、本件審判の請求の登録前３年以内に日本国内において、請求に係る「被服」について、本件商標を使用している。
　（ア）商標の使用者
　乙第１号証（写真）には、「ボンフリーマン株式会社」が、乙第２号証（仕切書控）、乙第３号証（請求書控）及び乙第４号証（領収書控）には　、「ボンフリーマン株式会社」、「東京都港区新橋３丁目４番８号」が表示されている。
　（イ）使用に係る商品
　乙第１号証は、指定商品中の「被服」であり、乙第２号証の「品名」欄には、請求に係る指定商品中の「被服」が記載され、乙第３号証の「品名」欄には、乙第２号証に記載された製品名が記載されている。
　（ウ）使用商標
　　　乙第１号証には、本件商標ネームがある。乙第２号証及び乙第３号証の「品名」欄には本件商標が記載されている。
　（エ）使用時期
　　乙第２号証には、「納品日　平成１６年２月１９日」と記載され、乙第３号証には、「請求日　平成１６年３月１日」と記載されている。
（２）むすび
　以上のとおり、本件商標は、本件審判の請求の登録前３年以内に日本国内において、通常使用権者により指定商品中の「被服」について使用されたことが明らかであるから、請求人の主張は理由がない。
　
４　当審の判断
（１）乙第１号証ないし乙第４号証によれば、以下の事実を認めることができる。
　（ア）乙第１号証は、ズボンの写真と認められるところ、そのウエスト部分の内側には、「ＧＡＭ」の文字が表示された織りネームが付されている。しかし、写真は、全体的に不鮮明であるため、「ボンフリーマン株式会社」の文字は確認することができない。
　（イ）乙第２号証は、東京都港区新橋３−４−８に所在のボンフリーマン株式会社（以下「ボンフリーマン」という。）がエスエス有限会社（以下「エスエス」という。）に宛てた平成１６年２月１９日付け「仕切書控」（エスエスの宛名の下に「下記の通り納品しました」旨記載のある伝票）であるところ、その「品名」欄には、「マーク」の異なる５種のズボン及び２種のジャケットの合計７種の商品が記載されており、そのうち、３種のズボンには、「（ＧＡＭ）」の、また、１種のジャケットには「（ＧＡＭ）」の記載があり、商品全ての合計金額は、３１０８００円である。
　（ウ）乙第３号証は、ボンフリーマンがエスエスに宛てた平成１６年３月１日付け「請求書控」であるところ、その記載内容は、乙第２号証（仕切書控）と同一である。
　（エ）乙第４号証は、ボンフリーマンがエスエスに宛てた平成１６年５月６日付け「領収書控」であるところ、その金額は、「￥３１０，８００」であり、「金種／金額」欄の下には、「但し、ズボン、ジャケット代金として」の記載がある。
（２）前記（１）で認定した事実を総合すると、本件商標の商標権者と認められるボンフリーマンは、本件審判の請求の登録前３年以内である平成１６年２月１９日に、その取引先であるエスエスに対し、「ＧＡＭ」の商標を付したズボン及びジャケットを納品し、その代金を平成１６年５月６日に受け取ったことが推認される。
（３）そこで、ズボン及びジャケットに使用された使用商標（ＧＡＭ）が、本件商標と社会通念上同一と認められる商標であるか否かについて検討する。
　（ア）本件商標は、別掲のとおりの構成よりなるものであるところ、その構成中の「ＧＡＭ」の文字部分は、その上段に書された「ジャム」の文字部分に比べ、かなり大きく表され、看者の注意を強く引く部分であるばかりでなく、「ＧＡＭ」の文字部分に接する需要者は、一般的には、これを「ガム」と称呼するか、あるいは、わが国においてもよく知られている英語「ｇａｍｂｌｅ」を「ギャンブル」と発音する例に倣い、「ギャム」と称呼する場合が多いとみるのが相当である。
　そうすると、本件商標中、独立して把握、認識される「ＧＡＭ」の文字部分より生ずる自然の称呼は、「ガム」若しくは「ギャム」ということができるから、上段に小さく書された「ジャム」は、「ＧＡＭ」の称呼を特定したものとみることはできず、したがって、「ＧＡＭ」と「ジャム」とは、常に一体のものとして認識されるものではない。
　してみれば、本件商標は、顕著に書された「ＧＡＭ」の文字部分より「ガム」若しくは「ギャム」の称呼を生ずるものであって、これらの称呼のほか、「ジャム」の文字部分より「ジャム」の称呼をも生ずるものといわなければならない。
　（イ）使用商標「ＧＡＭ」は、上記（ア）で認定したとおり、これより生ずる自然の称呼は、「ガム」若しくは「ギャム」と認められる。
　（ウ）そうすると、使用商標は、本件商標と「ガム」若しくは「ギャム」の称呼を同じくするばかりでなく、「ＧＡＭ」の有する観念（「鯨の群れ、足（特に女の）」等：甲第２号証）をも同じくする商標というべきである。
　したがって、使用商標は、本件商標と社会通念上同一の商標と認められる。
（４）請求人の主張について
　請求人は、乙第１号証について、撮影日、撮影場所が明記されていないので証明力が弱く、また、「ボンフリーマン株式会社」の文字が確認できないから、これが被請求人の商品であると特定することはできない旨主張し、さらに、乙第４号証に記載された「ズボン、ジャケット代金として」は、これがいかなる商標が使用された商品であるのか明らかでないから、使用の事実を証明したことにはならない旨主張する。
　しかし、前記認定のとおり、乙第１号証（写真）からは、請求に係る指定商品中の「ズボン」に、本件商標と社会通念上同一と認められる使用商標が付されていることを確認することができるのであり、これに加え、品名や商品の合計金額などが一致し、その取引の日にちからみて、一連の取引とみるに何ら不自然なところがない乙第２号証ないし乙第４号証を総合すれば、使用商標が付されたズボン及びジャケットが本件審判の請求の登録前３年以内に、商標権者により市場において取引に資されたことが十分に推認できるというべきである。
　したがって、請求人の上記主張は採用することができない。
（５）むすび
　以上のとおり、被請求人は、本件審判の請求の登録前３年以内に日本国内において、商標権者が請求に係る指定商品中の「ズボン、ジャケット」について、本件商標と社会通念上同一と認められる商標を使用していたことを証明したというべきである。
　したがって、本件商標の登録は、商標法第５０条の規定により、取り消すことはできない。
　よって、結論のとおり審決する。